(57)【要約】      （修正有）【課題】食事の進み具合に比例して所定のキャラクターの表情を認識できる容器本体を備え、さらに容器本体において通常の機能を発揮する仕切りと組み合わせ、消費者に対して新たな食事の楽しみを与える所定のキャラクターを表現した包装用容器を提供すること。【解決手段】包装用容器は、少なくとも底部１１を有する容器本体１を備え、この底部には、第一のキャラクターＣ１（ネコ）における二つの目１１ａ，１１ａと、この二つの目に近接する仕切り部１１ｂとが形成され、この第一のキャラクターにおける二つの目の位置は、容器本体に外接する矩形を等分した枠の各々のうち、左から２列目及び４列目且つ上から２行目及び／又は３行目の枠内であってよい。【選択図】図１
2018020809.tif 000002
【特許請求の範囲】
【請求項１】
少なくとも底部を有する容器本体を備え、
前記底部には、第一のキャラクターにおける二つの目と、当該二つの目に近接する仕切り部とが形成され、
前記第一のキャラクターにおける二つの目の位置は、前記容器本体に外接する矩形を等分した枠の各々のうち、左から２列目及び４列目且つ上から２行目及び／又は３行目の枠内である
ことを特徴とする包装用容器。
【請求項２】
前記仕切り部が、前記第一のキャラクターにおける二つの目の各々を隔てている
ことを特徴とする請求項１に記載の包装用容器。
【請求項３】
少なくとも天面部を有する蓋体であって、
前記天面部には、第二のキャラクターにおける二つの目が形成されており、
前記蓋体が前記容器本体に装着された状態を平面視して、前記第一のキャラクターにおける二つの目の位置が、前記第二のキャラクターにおける二つの目の位置とずれている
ことを特徴とする請求項１又は２に記載の包装用容器。
【請求項４】
前記蓋体が前記容器本体に装着された状態を平面視して、前記第一のキャラクターにおける二つの目の間隔が、前記第二のキャラクターにおける二つの目の間隔より広い
ことを特徴とする請求項３に記載の包装用容器。
【請求項５】
前記底部で表現される第一のキャラクターの表情と前記天面部で表現される第二のキャラクターの表情とが異なっている
ことを特徴とする請求項３又は４に記載の包装用容器。
【発明の詳細な説明】
【技術分野】
【０００１】
本発明は、所定のキャラクターを模した包装用容器に関するものである。
【背景技術】
【０００２】
従来から、例えば、子供向けの弁当用容器として、蓋体の表面にテレビ番組やゲームのキャラクターを印刷したものや、蓋体の形状を所定のキャラクターに模したものがあった。子供たちにとって、このような弁当用容器は、単に食品を持ち運ぶためのみならず、食事を楽しみにするためのものとして愛用されていた。
【０００３】
しかしながら、これらのキャラクターが主体となって食事を楽しむ雰囲気をつくるのは難かった。なぜなら、食事が収納される容器本体に所定のキャラクターは印刷されておらず、また、容器本体の形状を所定のキャラクターのシルエットのみに模したに過ぎなかったからである。すなわち、蓋体に表現された所定のキャラクターに対し、食事中の子供たちの意識は低くならざるを得なかった。
【０００４】
また、弁当用容器に限らず、例えば、スーパーやコンビニエンスストアで販売する生鮮食品を収納する包装用容器にも、目立ち、かわいらしいデザインにより老若男女の消費者に対してインパクトを与え、購買意欲の向上を図るために、所定のキャラクターが表現されるようになった。
【０００５】
そこで、容器本体のうち、食品を収納する凹部の周辺及び中央付近に動物のキャラクター（ブタ）の顔を印刷した発想が提案された（例えば、特許文献１。）。詳細には、凹部の周辺のうち、上側の左右両側に耳、上側の中央に二つの目、下側の左右両側に頬、及び一方の頬上に口及び舌、並びに凹部の中央付近に鼻のイラストを印刷したものであり、熱圧着されたシールを外すと凹部の周辺に印刷されたイラストが現れ、中身（食品）がなくなると凹部の中央付近に印刷されたイラストが現れる特徴を有している（特許文献１の段落「００３４」〜「００３８」、「００４８」、図１、及び図２（ｃ）参照）。
【先行技術文献】
【特許文献】
【０００６】
【特許文献１】特開２０１６−１３８７０号公報
【発明の概要】
【発明が解決しようとする課題】
【０００７】
近年の食品製造業及び小売業においては、食材の価格高騰、消費税の増税、及び消費者の嗜好性に鑑み、販売する食品の品質のみならず、これを包装する包装用容器の形状についても追求している。このため、包装用容器に関する業界においては、収納する食品の種類を増やせたり、食品の量目の設定をし易くしたりするために、仕切りの形状に対して工夫の余地を見出している。
【０００８】
このような業界動向を踏まえると、上述した従来技術は、仕切りを設けた容器本体に適していない。すなわち、通常、凹部の中央付近に印刷されたイラストは仕切りに遮られ、見え難くなってしまう。また、凹部の周辺に印刷されたイラストに対し、凹部内に無作為に仕切りを設けてしまうと、キャラクターの表情が崩れてしまう恐れもある。
【０００９】
さらに、業界の技術常識においても、仕切りを設けた容器本体の内部にキャラクターを表現する着想は採用され難かった。なぜなら、仕切りがキャラクターのイメージを崩す恐れがあるばかりでなく、シート成型上の困難性によりキャラクターを所望の位置に表現し難かったからである。
【００１０】
しかしながら、発明者等は創意工夫の末、仕切りがキャラクターの一部と化すと共に、成型後も所望の位置にキャラクターを表現できる容器本体の構造にたどり着いた。すなわち、仕切りが容器本体に対して食品の区分け及び位置ずれ防止機能を発揮する上、キャラクターの一部となって消費者に対して食事の別の楽しみ方を提供する包装用容器を開発した。
【００１１】
そこで、本発明の第一の目的は、食事の進み具合に比例して所定のキャラクターの表情を認識できる容器本体を備えた包装用容器を提供することにある。また、本発明の第二の目的は、容器本体において通常の機能を発揮する仕切りと組み合わせ、消費者に対して新たな食事の楽しみを与える所定のキャラクターを表現した包装用容器を提供することにある。また、本発明の第二の目的は、シート成形した仕切りを有する容器本体に対して所定のキャラクターを所望の位置に表現した包装用容器を提供することにある。
【課題を解決するための手段】
【００１２】
上記課題を解決するために、本発明による包装用容器は、少なくとも底部を有する容器本体を備え、上記底部には、第一のキャラクターにおける二つの目と、上記二つの目に近接する仕切り部とが形成され、上記第一のキャラクターにおける二つの目の位置は、上記容器本体に外接する矩形を等分した枠の各々のうち、左から２列目及び４列目且つ上から２行目及び／又は３行目の枠内であることを特徴とする。
【００１３】
また、上記仕切り部が、上記第一のキャラクターにおける二つの目の各々を隔てていることが望ましい。
【００１４】
また、少なくとも天面部を有する蓋体であって、上記天面部には、第二のキャラクターにおける二つの目が形成されており、上記蓋体が上記容器本体に装着された状態を平面視して、上記第一のキャラクターにおける二つの目の位置が、上記第二のキャラクターにおける二つの目の位置とずれていることが望ましい。
【００１５】
また、上記蓋体が上記容器本体に装着された状態を平面視して、上記第一のキャラクターにおける二つの目の間隔が、上記第二のキャラクターにおける二つの目の間隔より広いことが望ましい。
【００１６】
また、上記底部で表現される第一のキャラクターの表情と上記天面部で表現される第二のキャラクターの表情とが異なっていることが望ましい。
【００１７】
「第一のキャラクター」及び「第二のキャラクター」は、例えば、動物（ネコ、ウサギ、クマ、タヌキ、ウマ等）、植物、乗り物、小説・映画・演劇・テレビ番組・漫画・ゲーム等の登場物、又は所定のマスコットでもよく、限定はない。
【００１８】
第一のキャラクター及び第二のキャラクターの「二つの目」とは、キャラクターの顔の一部である左右の眼を意味し、開いた状態でも閉じた状態でもよく、限定はない。また、第一のキャラクター及び第二のキャラクターの「二つの目」は、上記底部から上向きに突出するように成型された立体的なもの及び／又は上記底部に積層されたラミネートフィルムに印刷されている平面的なものであってよく、限定はない。
【００１９】
「容器本体」及び「蓋体」の輪郭は、円形、楕円形、若しくは矩形、又は第一及び第二のキャラクターの顔型でもよく、限定はない。
【００２０】
「仕切り部」とは、容器本体の内側（又は底部）を少なくとも２つ以上の食品載置部に分割するものを意味し、例えば、直線形状、曲線形状、又は二股形状でもよく、限定はない。第一のキャラクターにおける「二つの目に近接する仕切り部」とは、これら二つの目からわずかに上側、下側、右側、若しくは左側、又はこれら二つの目の各々を隔てて設けられた仕切り部であることを意味し、限定はない。
【００２１】
「容器本体に外接する矩形を等分した枠」とは、９等分、１６等分、２５等分、３６等分、４９等分、６４等分、又は８１等分した枠でもよく、「左から２列目及び４列目且つ上から２行目及び／又は３行目の枠内」としては、２５等分した枠に適用するとより好ましい。「２行目及び３行目の枠内」とは、２行目と３行目との境界線上であることを意味してもよい。
なお、８１等分した枠に適用するならば、左から３列目及び６列目且つ上から３行目及び／又は４行目の枠内が好ましく、これらの枠は２５等分した枠の左から２列目及び４列目且つ上から２行目及び／又は３行目の枠内に含まれる。
【００２２】
上記蓋体が上記容器本体に装着された状態を平面視して、上記第一のキャラクターにおける二つの目の位置が、上記第二のキャラクターにおける二つの目の位置と「ずれている」とは、例えば、第一のキャラクターにおける二つの目が第二のキャラクターにおける二つの目より外側にあることを意味し、限定はない。
【００２３】
第一及び第二のキャラクターの表情とは、例えば、笑った顔、怒った顔、悲しい顔、ウィンクした顔、又は口を閉じた顔でもよく、限定はない。
【発明の効果】
【００２４】
本発明による包装用容器は、容器本体の底部に第一のキャラクターにおける二つの目と、二つの目に近接する仕切り部とが形成され、第一のキャラクターにおける二つの目の位置が、容器本体に外接する矩形を等分した枠の各々のうち、左から２列目及び４列目且つ上から２行目及び／又は３行目の枠内であることにより、食品を食べながら、次第に明らかになる第一のキャラクターの表情を楽しむことができる。すなわち、品種毎に複数の食品の盛り付けを容易にし、これらの食品の位置ずれを防止する仕切り部が、第一のキャラクターにおける二つの目に近接しているため、食品でこれら二つの目を完全に覆い隠すことができ、消費者に対して食事をしながら従来の包装用容器にはなかった新たな楽しみや美感を提供することができる。さらに、シート成型の際にこれら二つの目を設ける位置が明確になり、所望のキャラクターを表現することができる。
【００２５】
また、仕切り部が、第一のキャラクターにおける二つの目の各々を隔てているため、キャラクターの顔の一部として仕切り部を活用することができる。すなわち、仕切り部が、二つの目の間に骨格や模様を形成する部位を有するキャラクターの顔の一部（例えば、ネコの八割れ、ヒトの鼻骨）と化すため、本来の機能（食品の区分けや位置ずれ防止）を備えた新たなデザイン構造を提供することができる。
【００２６】
また、蓋体を容器本体に装着した状態を平面視して、容器本体の底部に形成された第一のキャラクターにおける二つの目と蓋体の天面部に形成された第二のキャラクターにおける二つの目の位置とがずれていることにより、消費者に対して第一のキャラクター及び第二のキャラクターの表情に違和感のない美感を提供することができる。すなわち、サイズの異なる嵌合式の容器本体及び蓋体にとって、双方における二つの目の位置が一致していると、一方のキャラクターの表情に違和感が生じる恐れがあるため、この位置をずらすことで消費者に与える包装用容器の見た目の印象を調整することができる。
例えば、蓋体のサイズが容器本体のサイズより小さい内嵌合式においては、第一のキャラクターにおける二つの目の間隔が第二のキャラクターにおける二つの目の間隔より広いことにより、たとえ表情が異なっていても同一のキャラクターであることを消費者は容易に認識することができる。
【００２７】
また、底部で表現される第一のキャラクターの表情と天面部で表現される第二のキャラクターの表情とが異なっていることにより、食事前後の包装用容器に対して異なる印象を消費者に与えることができる。すなわち、食事前に消費者が蓋体の第二のキャラクターから受ける印象と食事後に消費者が容器本体の第一のキャラクターから受ける印象とが異なるため、動的効果を発揮し、消費者の包装用容器に対する好奇心を一層掻き立てることができる。
【図面の簡単な説明】
【００２８】
【図１】容器本体の正面図である。
【図２】蓋体の正面図である。
【図３】容器本体に蓋体を装着した状態の正面図である。
【図４】容器本体の背面図である。
【図５】容器本体の平面図である。
【図６】容器本体の底面図である。
【図７】容器本体の右側面図である。
【図８】蓋体の背面図である。
【図９】蓋体の平面図である。
【図１０】蓋体の底面図である。
【図１１】蓋体の右側面図である。
【図１２】蓋体の左側面図である。
【図１３】別の容器本体の正面図である。
【図１４】別の容器本体の正面図である。
【図１５】別の容器本体の正面図である。
【図１６】別の容器本体の正面図である。
【図１７】別の容器本体の正面図である。
【発明を実施するための形態】
【００２９】
まず、図１〜図３を参照しつつ、本発明の一実施形態における包装用容器を説明する。
【００３０】
本発明の一実施形態における包装用容器は、少なくとも底部１１を有する容器本体１を備え、この底部には、第一のキャラクターＣ１（ネコ）における二つの目１１ａ，１１ａと、この二つの目に近接する仕切り部１１とが形成され、この第一のキャラクターにおける二つの目の位置は、この容器本体に外接する矩形を２５等分した枠Ｆの各々のうち、左から２列目及び４列目且つ上から３行目の枠内（図１のハッチング内）であってもよい。
【００３１】
また、仕切り部１１ｂが、第一のキャラクターＣ１（ネコ）における二つの目１１ａ，１１ａの各々を隔てていてもよい。
【００３２】
また、少なくとも天面部２１を有する蓋体２であって、この天面部には、第二のキャラクターＣ２（ネコ）における二つの目２１ａ，２１ａが形成されており、この蓋体が容器本体１に装着された状態を平面視して、第一のキャラクターＣ１（ネコ）における二つの目１１ａ，１１ａの位置が、この第二のキャラクターにおける二つの目の位置とずれていてもよい。
【００３３】
また、蓋体２が容器本体１に装着された状態を平面視して、第一のキャラクターＣ１（ネコ）における二つの目１１ａ，１１ａの間隔が、第二のキャラクターＣ２（ネコ）における二つの目２１ａ，２１ａの間隔より広くてもよい。
【００３４】
また、底部１１で表現される第一のキャラクターＣ１（ネコ）の表情と天面部２１で表現される第二のキャラクターＣ２（ネコ）の表情とが異なっていてもよい。
【００３５】
次に、図１〜図１１を参照しつつ、本発明の一実施形態における包装用容器の構造について詳細に説明する。
【００３６】
図示するとおり、本実施形態における包装用容器は、食品を収納する容器本体１と、この容器本体に装着する蓋体２とを備えていてもよい。容器本体１及び蓋体２は、平面視で二つの耳及びふっくらした頬にて輪郭を形成するネコの顔型を模していてもよい。容器本体１及び蓋体２の向きは、消費者がこの容器本体に載置された食品を取る通常の向きとして、ネコの顔型が正常に視認できる向きを正面としてもよい。
なお、蓋体２は、容器本体１に対して内嵌合式でよいが、外嵌合式でもよい。蓋体のサイズは、内嵌合式では容器本体のサイズより小さく、外嵌合式では容器本体のサイズより大きくてもよい。容器本体１及び蓋体２のサイズは、一般的な弁当用の包装用容器のサイズと同等でもよく、限定はない。容器本体１及び蓋体２の形状は、左右対称であってもなくてもよい。
【００３７】
容器本体１は、食品を載置する底部１１と、この底部の周縁から立ち上がった側壁部１２と、この側壁部の上端から外方に延出したフランジ部１３とを備えていてもよい。底部１１、側壁部１２、及びフランジ部１３にて、耳及び頬を含むネコの顔型を模してもよい。
なお、底部１１、側壁部１２、又はフランジ部１３の形状は、第一のキャラクターＣ１に応じて変更可能であってもよい。
【００３８】
底部１１は、第一のキャラクターＣ１（ネコ）における二つの目１１ａ，１１ａと、これら二つの目の各々を隔てて、且つ二股に分かれる仕切り部１１ｂと、この第一のキャラクターにおける鼻１１ｃ及び口１１ｄと、食品から出る汁の流出を遮る防壁１１ｅとを有していてもよい。底部１１に対する第一のキャラクターＣ１における二つの目１１ａ，１１ａ、仕切り部１１ｂ、鼻１１ｃ、口１１ｄ、及び防壁１１ｅの構造は、この底部から上向きに突出するように成型された立体的なものでもよい。
なお、第一のキャラクターＣ１における二つの目１１ａ，１１ａ、鼻１１ｃ、口１１ｄ、及び防壁１１ｅの高さ寸法は、０．５ｍｍ〜３ｍｍでよく、１．５〜２ｍｍが好ましい。第一のキャラクターにおける二つの目１１ａ，１１ａ、鼻１１ｃ、及び口１１ｄは、底部１１に積層されたラミネートフィルムに印刷されている平面的なものでもよく、上述した立体的なものとこの平面的なものとを組み合わせたものでもよい。
【００３９】
第一のキャラクターＣ１における二つの目１１ａ，１１ａの各々は、仕切り部１２で仕切られ底部１１に形成された食品載置部の各々に設けられてもよい。第一のキャラクターにおける二つの目１１ａ，１１ａは、一方が開いた状態、他方が閉じた状態とし、双方組み合わせてウィンクの状態としてもよい。底部１１に対する第一のキャラクターにおける二つの目１１ａ，１１ａの位置は、容器本体１に外接する矩形を２５等分した枠Ｆの各々のうち、左から２列目及び４列目且つ上から２行目及び／又は３行目の枠内でよく、限定はない。仕切り部１１ｂに対する第一のキャラクターＣ１における二つの目１１ａ，１１ａの位置は、この仕切り部の下端（仕切り部下端の湾曲した部分（Ｒ曲線）と底部との接点）付近に設けられていてもよい。換言すると、第一のキャラクターにおける二つの目１１ａ，１１ａの周縁から仕切り部１１ｂの下端までの距離は、極僅かであってもよい。
なお、第一のキャラクターＣ１における二つの目１１ａ，１１ａの各々は、平面視で底部１１に対して略水平線上に設けてあってもよく、限定はない。
【００４０】
仕切り部１１ｂは、平面視で容器本体１を左右二等分する垂直線上の上側から左右側の側壁部にまで渡った左右対称の二股形状で、二股の付け根以降はこの容器本体の内側に向かって緩やかな円弧形状であってもよい。二股の付け根は、平面視で容器本体１に対して略水平線上に設けた第一のキャラクターにおける二つの目１１ａ，１１ａと略同一線上にあってもよい。二股は、平面視で容器本体１を左右二等分する垂直線を基準にして、左右対称であってもよい。
なお、仕切り部１１ｂの寸法に限定はなく、この仕切り部下端の湾曲した部分（Ｒ曲線）の曲率半径は、４〜８ｍｍで、５〜７ｍｍでもよく、好ましくは６ｍｍである。また、仕切り部の形状は、例えば、２つ以上の円弧で構成されたものでも、左右非対称なものでもよい。
【００４１】
フランジ部１３は、さらに外方に延出して容器本体１を持ち上げる取っ手部１３ａ，１３ａと、蓋体１が内嵌合する内嵌合部（符番しない）とを有していてもよい。
なお、フランジ部１３及び内嵌合部の形状や寸法は周知技術の範囲でよく、限定はない。
【００４２】
取っ手部１３ａ，１３ａは、一部凹凸を有する平板状で、第一のキャラクターＣ１（ネコ）の手型であってもよい。取っ手部１３ａ，１３ａの位置は、平面視で容器本体１の左右両端側のフランジ部１３に設けられていてもよい。
なお、取っ手部１３ａ，１３ａは、第一のキャラクターＣ１に応じて変更可能であってもよい。取っ手部１３ａ，１３ａの位置は、平面視で容器本体１の下端側から左右両端側までの中間に設けられていてもよく、限定はない。
【００４３】
蓋体２は、天面部２１と、この天面部の周縁から下りた蓋側壁部２２と、この蓋側壁部の下端から外方に延出した蓋フランジ部２３とを備えていてもよい。天面部２１、蓋側壁部２２、及び蓋フランジ部２３にて、耳及び頬を含むネコの顔型を模してもよい。
なお、天面部２１、蓋側壁部２２、又は蓋フランジ部２３は、第二のキャラクターＣ２に応じて変更可能であってもよい。
【００４４】
天面部２１は、平坦部分に第二のキャラクターＣ２（ネコ）における二つの目２１ａ，２１ａと、この第二のキャラクターにおける鼻２１ｂ及び口２１ｃとを有していてもよい。天面部２１に対する第二のキャラクターＣ２における二つの目２１ａ，２１ａ、鼻２１ｂ、及び口２１ｃの構造は、この天面部から上向きに突出するように成型された立体的なものでもよい。
なお、第二のキャラクターにおける二つの目２１ａ，２１ａ、鼻２１ｂ、及び口２１ｃは、天面部２１に積層されたラミネートフィルムに印刷されている平面的なものでもよく、上述した立体的なものとこの平面的なものとを組み合わせたものでもよい。
【００４５】
第二のキャラクターＣ２における二つの目２１ａ，２１ａは、両方とも開いた状態であってもよい。蓋体２に対する第二のキャラクターＣ２における二つの目２１ａ，２１ａの位置は、この蓋体が容器本体１に装着された状態を平面視して、第一のキャラクターＣ１における二つの目１１ａ，１１ａを結んだ直線と上下方向で平行な直線上、且つ内側にあってもよい。換言すると、第二のキャラクターＣ２における二つの目２１ａ，２１ａの各々の間隔は、第一のキャラクターＣ１における二つの目１１ａ，１１ａの間隔より狭くてもよい。
なお、第一のキャラクターＣ２における二つの目２１ａ，２１ａの各々の間隔や天面部に対する位置に限定はない。
【００４６】
蓋フランジ部２３は、さらに外方に延出して容器本体１から蓋体２を取り外す摘み部２３ａ，２３ａを有していてもよい。
なお、蓋フランジ部２３の形状や寸法は周知技術の範囲でよく、限定はない。
【００４７】
摘み部２３ａ，２３ａは、一部凹凸を有する平板状で、第二のキャラクターＣ２（ネコ）の好物（例えば、魚）が模してあってもよい。摘み部２３ａ，２３ａの位置は、平面視で蓋体２の下端側から左右両端側までの中間に設けられていてもよい。
なお、摘み部２３ａ，２３ａは、第二のキャラクターＣ２に応じて変更可能であってもよい。摘み部２３ａ，２３ａの位置は、蓋体２が容器本体１に装着された状態を平面視して、容器本体１の取っ手部１３ａ，１３ａと重なるように設けてもよい。
【００４８】
次に、図１〜図３を参照しつつ、本発明の一実施形態における包装用容器の使用状態について説明する。
【００４９】
図示するとおり、まず、消費者は商品購入時又は購入後、蓋体２を平面視して天面部２１に表された第２のキャラクターＣ２を視認する。このとき、消費者は第２のキャラクターＣ２の表情から、ネコが笑った顔を想起する。次に、消費者が摘み部２３ａ，２３ａを摘んで蓋体２を取り外すと、収納された食品が現れる。そして、消費者が食事を進めるにつれて、容器本体１の底部１１に表された第１のキャラクターＣ１を少しずつ認識する。このとき、消費者としては、仕分け部１１ｂで区分けされた食品載置部の各々の食品を食しながら、少しずつ明らかになる第１のキャラクターＣ１の表情を想像する楽しみもある。最後に、消費者が食品を全て食すと、第１のキャラクターＣ１の表情から、ネコがウィンクした顔を想起する。
【００５０】
このように、本実施形態における包装用容器は、容器本体１の底部１１に第一のキャラクターＣ１における二つの目１１ａ，１１ａと、この二つの目に近接する仕切り部１１ｂとが形成され、この第一のキャラクターにおける二つの目の位置が、容器本体に外接する矩形を２５等分した枠Ｆの各々のうち、左から２列目及び４列目且つ上から２行目及び／又は３行目の枠内であることにより、食品を食べながら、次第に明らかになる第一のキャラクターの表情を楽しむことができる。すなわち、品種毎に複数の食品の盛り付けを容易にし、これらの食品の位置ずれを防止する仕切り部１１ｂが、第一のキャラクターＣ１における二つの目１１ａ，１１ａに近接しているため、食品でこれら二つの目を完全に覆い隠すことができ、消費者に対して食事をしながら従来の包装用容器にはなかった新たな楽しみや美感を提供することができる。さらに、シート成型の際にこれら二つの目を設ける位置が明確になり、所望のキャラクターを表現することができる。
【００５１】
また、仕切り部１１ｂが、第一のキャラクターにおける二つの目１１ａ，１１ａの各々を隔てているため、キャラクターの顔の一部として活用することができる。すなわち、仕切り部１１ｂが、二つの目１１ａ，１１ａの間に骨格や模様を形成する部位を有するキャラクターの顔の一部（例えば、ネコの八割れ、ヒトの鼻骨）と化すため、本来の機能（食品の区分けや位置ずれ防止）を備えた新たなデザイン構造を提供することができる。
【００５２】
また、蓋体２を容器本体１に装着した状態を平面視して、この容器本体の底部１１に形成された第一のキャラクターＣ１における二つの目１１ａ，１１ａとこの蓋体の天面部２１に形成された第二のキャラクターＣ２における二つの目２１ａ，２１ａの位置とがずれていることにより、消費者に対してこの第一のキャラクター及び第二のキャラクターの表情に違和感のない美感を提供することができる。すなわち、サイズの異なる嵌合式の容器本体１及び蓋体２にとって、双方における二つの目１１ａ，１１ａと２１ａ，２１ａとの位置が一致していると、一方のキャラクターの表情に違和感が生じる恐れがあるため、この位置をずらすことで消費者に与える包装用容器の見た目の印象を調整することができる。
例えば、蓋体２のサイズが容器本体１のサイズより小さい内嵌合式においては、第一のキャラクターＣ１における二つの目１１ａ，１１ａの間隔が第二のキャラクターＣ２における二つの目２１ａ，２１ａの間隔より広いことにより、たとえ表情が異なっていても同一のキャラクターであることを消費者は容易に認識することができる。
【００５３】
また、底部１１で表現される第一のキャラクターＣ１の表情と天面部２１で表現される第二のキャラクターＣ２の表情とが異なっていることにより、食事前後の包装用容器に対して異なる印象を消費者に与えることができる。すなわち、食事前に消費者が蓋体の第二のキャラクターから受ける印象と食事後に消費者が容器本体の第一のキャラクターから受ける印象とが異なるため、動的効果を発揮し、消費者の包装用容器に対する好奇心を一層掻き立てることができる。
【００５４】
また、図１２〜図１６は、種々のキャラクターをモチーフにした容器本体を示す。なお、以下では仕切り部についてのみ説明し、その他の部位は図１で示した部位と同等又は類似しているものとして説明を省略する。
【００５５】
図１２は、ウサギをモチーフにした容器本体である。仕切り部は、ウサギの二つの目を隔てて形成されている。仕切り部の形状は、ウサギの二つの目の間の山状の部位と、この山状の部位の付け根から分かれた二股状の部位とで構成されている。図１３は、タヌキをモチーフにした容器本体である。仕切り部は、タヌキの二つの目の上側及び下側に形成されている。上側及び下側の仕切り部の各々の形状は、円弧が連なって構成されている。図１４及び図１５は、クマをモチーフにした容器本体である。各図の仕切り部は、クマの二つの目を隔てて形成されている。各図の仕切り部の形状は、クマの二つの目の間の細長状の部位と、この細長状の部位の付け根から分かれた二股状の部位とで構成されており、この二股状の部位のうち、容器本体と接する部分の形状がやや相違している。図１６は、ウマをモチーフにした容器本体である。仕切り部は、ウマの二つの目と鼻とを隔てて形成されている。仕切り部の形状は、円弧状に構成されている。
【００５６】
なお、本実施形態における包装用容器は、例えば、真空成形、圧空成形、真空圧空成形、両面真空成形、熱板成形等のシート成形で、合成樹脂シートを熱成形することにより形成されてもよい。合成樹脂シートとしては、例えばポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はないが、０．１５ｍｍ〜０．５ｍｍであればよく、好ましくは０．１８ｍｍ〜０．４５ｍｍ、より好ましくは０．２ｍｍ〜０．３５ｍｍである。
【産業上の利用可能性】
【００５７】
本発明における包装用容器は、食品製造や小売に限らず、例えば、飲食、広告、娯楽、医療、介護、又は子供向け玩具等に関する産業に広く利用可能である。
【符号の説明】
【００５８】
１        容器本体
１１      底面部
１１ａ    第一のキャラクターの目
１１ｂ    仕切り部
１２      側壁部
１３      フランジ部
１３ａ    取っ手部
２        蓋体
２１      天面部
２１ａ    第二のキャラクターの目
２２      蓋側壁部
２３      蓋フランジ部
２３ａ    摘み部
【図１】
2018020809.tif 000003
【図２】
2018020809.tif 000004
【図３】
2018020809.tif 000005
【図４】
2018020809.tif 000006
【図５】
2018020809.tif 000007
【図６】
2018020809.tif 000008
【図７】
2018020809.tif 000009
【図８】
2018020809.tif 000010
【図９】
2018020809.tif 000011
【図１０】
2018020809.tif 000012
【図１１】
2018020809.tif 000013
【図１２】
2018020809.tif 000014
【図１３】
2018020809.tif 000015
【図１４】
2018020809.tif 000016
【図１５】
2018020809.tif 000017
【図１６】
2018020809.tif 000018
【図１７】
2018020809.tif 000019